(57)【要約】      （修正有）【課題】写真シール作成装置において生成された画像の新たな楽しみ方をユーザに提供する。【解決手段】写真シール作成装置は制御部において、ユーザを撮影して撮影画像を生成する撮影制御部３１２と、ユーザを被写体として過去に生成された過去画像を取得する通信制御部３１１と、を備える。撮影制御部３１２は、ユーザを撮影して得られたユーザの画像を過去画像に重畳することにより撮影画像を生成する。【選択図】図１１
2018160898.tif 000002
【特許請求の範囲】
【請求項１】
ユーザを撮影して撮影画像を生成する撮影画像生成手段と、
上記ユーザを被写体として過去に生成された過去画像を取得する過去画像取得手段と、を備え、
上記撮影画像生成手段は、上記ユーザを撮影して得られたユーザの画像を上記過去画像に重畳することにより上記撮影画像を生成する、
ことを特徴とする写真シール作成装置。
【請求項２】
請求項１に記載の写真シール作成装置としてコンピュータを機能させるためのプログラムであって、コンピュータを上記各手段として機能させるためのプログラム。
【請求項３】
請求項２に記載のプログラムを記録したコンピュータ読み取り可能な記録媒体。
【発明の詳細な説明】
【技術分野】
【０００１】
本発明は、ユーザを撮影する写真シール作成装置に関する。また、該写真シール作成装置としてコンピュータを動作させるためのプログラム、及び、記録媒体に関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。また、このようなサービスにおいて、写真シール作成装置において生成された画像に更なる付加価値を与えることにより、ユーザに対して画像の新たな楽しみ方を提供する技術が提案されつつある。
【０００３】
例えば、特許文献１には、画像合成装置において生成された複数の画像を用いて携帯電話の待受画面用のアニメーションを生成するセンタ装置が開示されている。
【先行技術文献】
【特許文献】
【０００４】
【特許文献１】特開２００９−２１３００２号公報
【発明の概要】
【発明が解決しようとする課題】
【０００５】
しかし、特許文献１に記載の技術では、待受画面用のアニメーションとして、画像合成装置において生成された画像がそのまま順次表示されるようなアニメーション、及び、該アニメーションにおいて順次表示される各画像に一律のフレームが重畳されたアニメーションなどがユーザに提供されるに留まっており、画像の新たな楽しみ方を提供という点において課題がある。
【０００６】
具体的には、ユーザは複数の画像の各々を閲覧するために選択する必要がないものの、順次表示される画像の各々は画像合成装置において生成された画像そのもの（又は、所定のフレームが重畳されたもの）である。このため、特許文献１に記載の技術では、画像合成装置において生成された画像についての新たな楽しみ方をユーザに対して十分に提供できていない。
【０００７】
本発明は、上記の課題を解決するためになされたものであり、その主たる目的は、写真シール作成装置において生成された画像の新たな楽しみ方をユーザに提供することにある。
【課題を解決するための手段】
【０００８】
本発明の一態様に係る写真シール作成装置は、ユーザを撮影して撮影画像を生成する撮影画像生成手段と、上記ユーザを被写体として過去に生成された過去画像を取得する過去画像取得手段と、を備え、上記撮影画像生成手段は、上記ユーザを撮影して得られたユーザの画像を上記過去画像に重畳することにより上記撮影画像を生成することを特徴とする。
【０００９】
本発明の各態様に係る写真シール作成装置は、コンピュータによって実現してもよく、この場合には、コンピュータを上記写真シール作成装置が備える各手段として動作させることによって上記写真シール作成装置をコンピュータにて実現させる写真シール作成装置の制御プログラム、およびそれを記録したコンピュータ読み取り可能な記録媒体も、本発明の範疇に入る。
【発明の効果】
【００１０】
本発明は、写真シール作成装置において生成された画像の新たな楽しみ方をユーザに提供するという効果を奏する。
【図面の簡単な説明】
【００１１】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る管理サーバの制御部の備える画像管理部の要部構成を示すブロック図である。
【図１９】本発明の第２実施形態に係る携帯端末の備える制御部の要部構成を示すブロック図である。
【発明を実施するための形態】
【００１２】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００１３】
（撮影画像管理システム１０）
図２は、本発明の第１実施形態に係る撮影画像管理システム１０の構成を示す図である。図２に示すように、撮影画像管理システム１０は、写真シール作成装置１、携帯端末６、および管理サーバ４を備えている。
【００１４】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００１５】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００１６】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００１７】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００１８】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００１９】
画像提供サイトへの画像保存後、ユーザは、携帯端末６または所望の他の装置を用いて画像提供サイトにログインして、画像をダウンロードすることができる。
【００２０】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２１】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２２】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００２３】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００２４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２５】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００２６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００２７】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００２８】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００２９】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００３０】
図３に示す編集部１２の構成を正面側の構成とすると、２組のユーザが同時に編集することができるように、編集部１２の正面側と背面側には編集制御に用いられる構成がそれぞれ設けられる。
【００３１】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３２】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３３】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００３４】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００３５】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００３６】
（ユーザの移動）
写真シール作成ゲームの流れと、それに伴うユーザの移動について図５を参照して説明する。図５は、ユーザの移動について説明する図である。
【００３７】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００３８】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００３９】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４０】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４１】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４２】
画像の印刷が終了したとき、ユーザは、事後接客部１３に設けられた排出口からシール紙を受け取り、一連の写真シール作成ゲームを終えることになる。
【００４３】
（各部材の構成）
次に、写真シール作成装置１に備えられる各部材の構成について説明する。
【００４４】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００４５】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００４６】
正面パネル４１のほぼ中央には撮影・表示ユニット８１が設けられる。撮影・表示ユニット８１は、カメラ９１、正面ストロボ９２、およびタッチパネルモニタ９３から構成される。
【００４７】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００４８】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００４９】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５０】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５１】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５２】
足元ストロボ８６の右側には、ユーザがお金を投入する硬貨投入返却口８７が設けられる。
【００５３】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００５４】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００５５】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００５６】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００５７】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００５８】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００５９】
（事後接客部１３）
編集部１２の左側には事後接客部１３が設けられる。図９は、写真シール作成装置１に備えられる事後接客部１３の構成例を示す図である。
【００６０】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６１】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６２】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００６３】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００６４】
スピーカ１６５は、事後接客時の案内音声、ＢＧＭ、効果音等の音を出力する。
【００６５】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００６６】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００６７】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００６８】
通信部２０３はインターネットなどのネットワークのインタフェースであり、制御部２０１による制御に従って外部の装置と通信を行う。
【００６９】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００７０】
ＲＯＭ２０６には、制御部２０１において実行されるプログラムおよびデータが記憶されている。ＲＡＭ２０７は、制御部２０１が処理するデータおよびプログラムを一時的に記憶する。
【００７１】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００７２】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００７３】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００７４】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００７５】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００７６】
カメラ９１は、制御部２０１による制御に従って撮影を行い、撮影によって得られた画像（画像）を制御部２０１に出力する。
【００７７】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００７８】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００７９】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００８０】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００８１】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００８２】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００８３】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００８４】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【００８５】
通信制御部３１１は、通信部２０３による外部の装置との通信を制御する。
【００８６】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【００８７】
編集制御部３１３は、編集部１２Ａおよび編集部１２Ｂによる画像に対する落書き編集等、写真シール作成ゲームにおけるユーザの編集制御に関する処理を制御する。
【００８８】
印刷制御部３１４は、印刷部２１１によるシール紙の印刷等、写真シール作成ゲームにおけるユーザの印刷制御に関する処理を制御する。
【００８９】
事後接客制御部３１５は、事後接客部１３による、編集作業を終了したユーザグループを接客する処理等、写真シール作成ゲームにおける事後接客に関する処理を制御する。
【００９０】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９１】
（制御部４０１の詳細）
図１に示すように、制御部４０１は、通信制御部４１１、メール作成部４１２、ウェブページ作成部４１３、および画像管理部４１４を備えている。
【００９２】
（通信制御部４１１）
通信制御部４１１は、通信部４０３による通信を制御する。
【００９３】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【００９４】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【００９５】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【００９６】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【００９７】
（記憶部４０２の詳細）
図１に示すように、記憶部４０２は、メールデータベース４２１、会員データベース４２２、ウェブページデータベース４２３、および画像データベース４２４を有している。
【００９８】
（メールデータベース４２１）
メールデータベース４２１は、ユーザに送信するメールを作成するための各種データを格納している。
【００９９】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１００】
（ウェブページデータベース４２３）
ウェブページデータベース４２３は、携帯端末６に表示される画像提供サイトのウェブページを作成するための各種データを格納している。
【０１０１】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１０２】
図示はしないが、記憶部４０２は、写真シール作成装置１から受信した画像などのデータを一時的に保存する一時保存データベースも有している。
【０１０３】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１０４】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１０５】
（制御部６０１の詳細）
図１２に示すように、制御部６０１は、通信制御部６１１、入力制御部６１２、および表示制御部６１３を備えている。
【０１０６】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１０７】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１０８】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１０９】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１１０】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１１１】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１１２】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１１３】
この要求を受けて、管理サーバ４は、無料会員登録を完了させる。具体的には、管理サーバ４が、会員データベース４２２にユーザ用のアカウント領域（会員固有のデータを保存する記憶領域） を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１１４】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１１５】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１１６】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１１７】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１１８】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１１９】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１２０】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１２１】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１２２】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１２３】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１２４】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１２５】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１２６】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１２７】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１２８】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１２９】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１３０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１３１】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１３２】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１３３】
図１５（ｃ）に示すように、ウェブページ１１０７は、一つのサムネイル画像１１０４、および、全ての画像を保存するためのリンク画像１１０８を含んでいる。
【０１３４】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１３５】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１３６】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１３７】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１３８】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１３９】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域 に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１４０】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１４１】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１４２】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１４３】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１４４】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１４５】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１４６】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１４７】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１４８】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１４９】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１５０】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１５１】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１５２】
携帯端末６の通信制御部６１１は、通信部６０３を通じて、送信された画像を受信し、記憶部６０２に保存する（ステップＳ３２）。以上により、携帯端末６への画像保存処理が完了する。
【０１５３】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１５４】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１５５】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１５６】
（新たな画像の生成）
以下に、本実施形態に係る管理サーバ４における、異なるタイミングで行われたゲームにおいて生成された２つ以上の画像から新たな画像を生成する構成について、図１８を参照して説明する。図１８は、本実施形態に係る管理サーバ４の制御部４０１の備える画像管理部４１４の要部構成を示すブロック図である。
【０１５７】
（画像管理部）
本実施形態に係る画像管理部４１４（管理手段）は、１又は複数の写真シール作成装置（写真シール作成装置１を含む）において生成された複数の画像を、ユーザに関連付けて画像データベース４２４に保存することにより管理している。また、本実施形態に係る画像管理部４１４は、図１８に示すように検出部４４１（検出手段）、抽出部４４２（顔抽出手段）、及び、生成部４４３（生成手段）を備えている。
【０１５８】
検出部４４１は、画像データベース４２４に同じユーザに関連付けられて保存されている複数の画像から、或る１回のゲーム中に生成された或る画像、及び、当該或る１回のゲームとは異なる他の１回のゲーム中に生成された他の画像を検出する。なお、或る１回のゲーム及び他の１回のゲームは、同じ写真シール作成装置において行われたゲームであってもよいし、異なる写真シール作成装置において行われたゲームであってもよい。換言すれば、或る画像及び他の画像は、同じ写真シール作成装置において生成された画像であってもよいし、異なる写真シール作成装置において生成された画像であってもよい。
【０１５９】
このとき、検出部４４１は、或る画像及び他の画像として、所定の特徴（例えば、ユーザのメイク、及び服装などの少なくとも何れか）が類似（本実施形態では、所定の特徴が類似している場合には、所定の特徴が一致している場合も含まれる）している画像を検出することが好ましい。なお、所定の特徴が類似しているか否かの判定は、或る画像における所定の特徴と他の画像における所定の特徴との差が所定の範囲内であるか否かにより判定することができる。
【０１６０】
例えば、検出部４４１は、或る画像におけるユーザの服の色と他の画像におけるユーザの服の色との差が色座標上における所定の範囲内である場合に、或る画像におけるユーザの服装と他の画像におけるユーザの服装とが類似していると判定することができる。
【０１６１】
なお、検出部４４１は、以下のようにして、各画像からユーザの服（服装）を特定することができる。検出部４４１は、写真シール作成装置１（又は管理サーバ４）においてクロマキー処理を施す過程でクロマキーマスクが生成されている場合には、クロマキーマスク中の人物領域において所定の範囲内の色が一定の割合を占める領域を、ユーザの服に対応する領域であると推定することもできる。例えば、検出部４４１は、画像に含まれるユーザが紺色の制服を着ている場合には画像中に紺色の画素成分が多いため、クロマキーマスク中の人物領域のうち紺色が一定以上の割合を占める領域を、ユーザが着ている制服に対応する領域であると推定できる。これにより、検出部４４１は、推定した領域に対応する画像上の領域を、ユーザの服として特定することができる。
【０１６２】
検出部４４１は、このようにしてユーザの服を特定することにより、或る画像におけるユーザの服装と他の画像におけるユーザの服装とが類似しているか否かを判定することができる。このように、検出部４４１は、人物のクロマキーマスクにより人物領域だけを画像から抽出している場合には、当該人物領域における色を用いて類似の判定を行うことにより、比較的容易に服装の色を評価することが可能となる。
なお、検出部４４１における、或る画像と他の画像とに含まれる所定の特徴が類似しているか否かの判定については、公知の技術を利用することができるため、その詳細な説明については省略する。
【０１６３】
検出部４４１は、或る画像および他の画像の双方を自動で検出してもよいし、ユーザ操作により選択された或る画像に基づいて他の画像を検出してもよいし、特に限定されるものではない。例えば、ユーザ操作により或る画像が選択された場合には、検出部４４１は、選択された或る画像から所定の特徴を抽出すると共に、当該抽出した所定の特徴が類似している他の画像を検出すればよい。
【０１６４】
抽出部４４２は、検出部４４１において検出された画像から、ユーザの一部を抽出する。具体的には、検出部４４１において検出された或る画像および他の画像に含まれるユーザの一部をそれぞれ抽出する。ここで、ユーザの一部としては、例えば、ユーザの顔、服装、髪型、及び、顔の各部位などを挙げることができる。なお、以降では、抽出部４４２が画像からユーザの顔を抽出する場合を例に挙げて説明する。
【０１６５】
生成部４４３は、検出部４４１において検出された或る画像の一部を、他の画像の一部に置き換えることによって、新たな画像を生成する。具体的には、生成部４４３は、抽出部４４２により抽出された或る画像に含まれるユーザの顔を、他の画像に含まれるユーザの顔に置き換えることによって、新たな画像を生成する。このとき、生成部４４３は、他の画像に含まれるユーザの顔の画像サイズを、或る画像に含まれるユーザの顔の画像サイズに合わせて調整することが好ましい。例えば、生成部４４３は、各画像に含まれるユーザの顔認識を行うことで顔の輪郭を把握すると共に、輪郭により規定される顔部分の面積を一定にすることによって画像サイズを合わせてもよい。これによって、生成部４４３は、違和感のない新たな画像を生成することができる。
【０１６６】
これにより、生成部４４３は、或る画像に含まれるユーザの顔を、他の画像に含まれるユーザの顔に差し替えた新たな画像を生成することができる。また、或る画像および他の画像は同じユーザに関連付けられている画像であるため、新たな画像を生成するための親和性が高い。さらに、検出部４４１において各画像に含まれるユーザのメイク及び服装の少なくとも何れかが似ているため、新たな画像を生成するための親和性が高い。
【０１６７】
なお、検出部４４１におけるユーザのメイクが類似しているか否かの判定は、例えば、目の周辺の色の情報からメイクが類似しているかを判定してもよい。さらに、検出部４４１は、ユーザの唇の色を評価して、同系統の色の唇の画像を類似する画像として分類することにより、メイクが類似しているか否かの判定を行うこともできる。また、検出部４４１におけるユーザの服装が類似しているか否かの判定は、ユーザの一部分であって顔以外の部分に肌色が多い画像をユーザの服装が半袖の画像であると推定することにより判定することもできる。
【０１６８】
従って、管理サーバ４は、ユーザに対して、当該ユーザに関連付けられている複数の画像を用いて生成した新たな画像を提供することができる。
【０１６９】
なお、本実施形態では、他の１回のゲームは、或る１回のゲームが行われるよりも前に行われたゲームであることが好ましい。これによれば、管理サーバ４は、或る画像より前にユーザを撮影して生成された画像（すなわち、ユーザの過去の画像）を用いて新たな画像を生成することができる。
【０１７０】
また、本実施形態に係る検出部４４１は、ユーザ操作により或る画像が選択された場合に、選択された或る画像に含まれるユーザの特徴が似ている画像であって他の画像の候補となる画像を、複数検出してもよい。
【０１７１】
このとき、ウェブページ作成部４１３は、検出部４４１において抽出された他の画像の候補となる複数の画像の中から１つの画像を選択可能に一覧表示したページを生成し、通信制御部４１１は、当該ページを通信部４０３を通じてユーザの携帯端末６に送信してもよい。そして、通信制御部４１１は、通信部４０３を通じて携帯端末６からユーザの選択指示を取得する。
【０１７２】
これにより、検出部４４１は、ユーザの選択指示により選択された画像を他の画像とすることができる。
【０１７３】
例えば、生成部４４３は、抽出部４４２において抽出された各画像中の顔の面積を同じ程度の面積に正規化すると共に、顔の中心を一緒にすることによって、或る画像に含まれるユーザの顔に他の画像に含まれるユーザの顔をはめ込んで合成することが可能である。この場合、生成部４４３は、合成した他の画像に含まれるユーザの顔と当該顔が合成された或る画像との境界部分をぼかすことで、生成した画像の違和感をなくすことができる。さらに、生成部４４３は、他の画像から抽出された顔の明度と、或る画像における顔以外の部分の明度とを合わせるように、他の画像から抽出された顔（つまり、はめ込む（置き換える）顔の画像）の明度を変更（調整）した上で、合成を行ってもよい。
【０１７４】
従って、管理サーバ４は、或る画像に含まれるユーザの顔を、上述のようにしてユーザに選択された他の画像に含まれるユーザの顔に差し替えた新たな画像をユーザに提供することができる。これによって、ユーザは、検出部４４１において検出された複数の画像から、自身の写りのよい（例えば、肌の調子がよい、メイクの調子がよい、及び、盛れている（編集処理が上手くいっている）、など）画像を他の画像として選択できるため、或る画像に含まれる自身の顔を、写りがよい他の画像の顔に差し替えた新たな画像を楽しむことができる。
【０１７５】
なお、本実施形態では、２枚の画像（或る画像および他の画像）から新たな画像を生成する場合を例に挙げて説明したが、これに限定されるものではなく、本実施形態に係る管理サーバ４は、３枚以上の画像から新たな画像を生成してもよい。
【０１７６】
例えば、３枚の画像から新たな画像を生成する場合、管理サーバ４は、或る画像に含まれるユーザの顔を第１の他の画像に含まれるユーザの顔に差し替えると共に、或る画像に含まれるユーザの髪型を第２の他の画像に含まれるユーザの髪型に差し替えることもできる。さらに、管理サーバ４は、第１の他の画像および第２の他の画像を各々選択するユーザ指示を受け付けてもよい。これによれば、ユーザは、或る画像に含まれる自身の画像を任意に編集（カスタマイズ）することができるため、自身の好み（嗜好）に沿って自身の顔を編集した新たな画像を楽しむことができる。
【０１７７】
なお、本実施形態に係る管理サーバ４における新たな画像の生成は、例えば、新たな画像を生成する旨のユーザ指示を受け付けたことを契機として行われてもよい。例えば、管理サーバ４は、当該管理サーバ４において管理されている画像を閲覧するための画像閲覧用アプリケーション（又は、一般的なウェブブラウザなど）を用いて管理サーバ４にアクセスしている携帯端末６に対して、ウェブページ作成部４１３において生成された、新たな画像の生成を指示するためのユーザ指示を受け付けるためのユーザインターフェース（ＵＩ）を含むウェブページを送信する。そして、管理サーバ４は、ウェブページにおいてＵＩを選択するユーザ操作を携帯端末６から受け付けることにより、新たな画像を生成する旨のユーザ指示を受け付ければよい。
【０１７８】
（携帯端末）
本実施形態では、管理サーバ４において異なるタイミングで行われたゲームにおいて生成された２つ以上の画像から新たな画像を生成する構成について説明したが、これに限定されるものではない。例えば、画像閲覧用アプリケーション（又は、一般的なウェブブラウザなど）を用いて管理サーバ４にアクセスしている携帯端末６（端末装置）において新たな画像を生成する構成を採用することもできる。
【０１７９】
この場合には、携帯端末６の備える制御部６０１の通信制御部６１１は、アクセスしている管理サーバ４から、当該携帯端末６のユーザに関連付けて管理されている画像を取得する取得手段として機能すればよい。
【０１８０】
また、本変形例では、制御部６０１は、（１）通信制御部６１１において取得された画像から或る画像および他の画像を検出する検出手段、（２）検出した画像からユーザの顔を抽出する顔抽出手段、並びに、（３）或る画像および他の画像から新たな画像を生成する生成手段としても機能すればよい。
【０１８１】
これにより、本変形例に係る携帯端末６は、実施形態１に係る管理サーバ４と同様に、ユーザに対して、当該ユーザに関連付けられている複数の画像を用いて生成した新たな画像を提供することができる。
【０１８２】
（その他の構成）
また、本実施形態に係る管理サーバ４（又は、携帯端末６）は、新たな画像として、或る画像に含まれるユーザの顔が他の画像に含まれるユーザの顔に段階的に変化する（いわゆる、モーフィング）画像を生成してもよい。
【０１８３】
これによれば、管理サーバ４（又は、携帯端末６）は、ユーザに対して、新たな画像として該ユーザの顔が段階的に変化する画像を提供することができる。これにより、ユーザは、新たな画像として、自身の顔が段階的に変化する画像を楽しむことができる。例えば、ユーザは、現在（最近）の自分の顔から過去（数年前など）の自分の顔にモーフィングする新たな画像により、現在の自分の顔のイメージを残しながら徐々に年齢が若返っていく画像を楽しむことができる。
【０１８４】
また、管理サーバ４は、過去の画像および現在（最近）の画像に含まれるユーザの顔を抽出すると共に、過去の画像に含まれるユーザの顔の大きさを現在の画像に含まれるユーザの顔の大きさと同じ大きさになるように正規化する。そして、管理サーバ４は、過去の画像に含まれるユーザの顔と現在の画像に含まれるユーザの顔とを、共に又は順番に表示する新たな画像を生成することにより、ユーザの顔の経年変化が明示的に閲覧可能な画像を生成することができる。
【０１８５】
さらに、管理サーバ４は、例えば現在の画像を含めた過去５年分の画像から任意に抽出した複数の画像の各々からユーザの顔を抽出し、抽出した顔が時系列順（昇順であってもよいし、降順であってもよい）に順次表示されるようなアニメーション画像（いわゆる、パラパラ漫画又はスライドショーなどのような画像）を生成してもよい。これによって、ユーザは、自身の顔が徐々に若返っていく（又は、徐々に年をとっていく）アニメーション画像を楽しむことができる。
【０１８６】
〔変形例〕
また、本実施形態では、写真シール作成装置１において、ユーザを撮影する撮影処理を行う際に当該写真シール作成装置１（又は、他の写真シール作成装置）において過去に生成された該ユーザの画像を利用することもできる。本変形例に係る写真シール作成装置１について、以下に説明する。
【０１８７】
本変形例に係る写真シール作成装置１の備える通信制御部３１１は、ユーザを被写体として過去に生成された過去画像を取得する過去画像取得手段としても機能する。通信制御部３１１は、例えば、当該写真シール作成装置１の撮影空間Ａ１に居るユーザから、外部機器と通信可能な非接触型ＩＣリーダ／ライタなどの通信部（不図示）を介して過去画像を取得してもよいし、撮影前にユーザの認証を行った上で認証されたユーザに関連付けて管理されている画像を過去画像として管理サーバ４から取得してもよいし、特に限定されるものではない。
【０１８８】
また、撮影制御部３１２は、ユーザを撮影して撮影画像を生成する撮影画像生成手段としても機能する。撮影制御部３１２は、ユーザを撮影して得られたユーザの画像を過去画像に重畳することにより撮影画像を生成する。
【０１８９】
さらに、撮影制御部３１２は、ユーザを撮影する際に、タッチパネルモニタ９３に過去画像を表示することによって該ユーザに対して過去画像を提示する提示手段としても機能する。このとき、撮影制御部３１２は、カメラ９１により動画像として取り込まれているユーザの動画像を、通信制御部３１１において取得した過去画像に重畳してタッチパネルモニタ９３に表示することにより提示することが好ましい。そして、撮影制御部３１２は、カメラ９１により所定のタイミングでユーザの静止画像を撮影することによって、ユーザの画像が過去画像に重畳された撮影画像を生成する。
【０１９０】
これによって、写真シール作成装置１は、例えば、ユーザが過去の自分と共に撮影を行ったかのような撮影画像を生成することができる。従って、ユーザは、過去の自分と共に現在の自分が写っている画像を楽しむことができる。
【０１９１】
なお、撮影制御部３１２は、撮影したユーザの画像を、過去画像における過去のユーザの画像のサイズに合わせて調整した上で過去画像に重畳することによって撮影画像を生成することが好ましい。これによれば、撮影制御部３１２は、ユーザの画像と過去のユーザの画像とのサイズのバランスが調整された撮影画像を生成することができる。
【０１９２】
また、本変形例では、写真シール作成装置１において、ユーザが過去の自分と共に写った撮影画像を生成する構成を例に挙げて説明したが、これに限定されるものではない。例えば、現在のユーザの顔を、過去画像における過去のユーザの顔に重畳することによって、現在のユーザの画像を過去画像に重畳した撮影画像を生成する構成を採用することもできる。この場合には、撮影制御部３１２は、ユーザを撮影した画像からユーザの顔を抽出すると共に、抽出したユーザの顔を過去画像における過去のユーザの顔に重畳させればよい。
【０１９３】
これによれば、写真シール作成装置１は、過去画像における過去のユーザの顔を現在のユーザの顔に差し替えた撮影画像を生成することができる。
【０１９４】
〔実施形態２〕
本実施形態に係る携帯端末６（端末装置）は、また、写真シール作成装置１において生成された画像をテンプレートに合成することによって新たな画像（動画像及び静止画像を含む）を生成することもできる。本実施形態に係る携帯端末６について、図１９を参照して説明する。図１９は、本実施形態に係る携帯端末６の備える制御部６０１’の要部構成を示すブロック図である。
【０１９５】
本実施形態に係る制御部６０１’は、図１９に示すように、顔抽出部６１４（顔抽出手段）、位置情報取得部６１５（位置情報取得手段）、及び、合成部６１６（合成手段）を備えていること以外は、実施形態１に係る制御部６０１と同様の構成である。
【０１９６】
まず、本実施形態に係る携帯端末６は、画像閲覧用アプリケーション（又は、一般的なウェブブラウザ）を用いて管理サーバ４にアクセスする。そして、携帯端末６は、通信制御部６１１において、管理サーバ４において当該携帯端末６のユーザに関連付けて管理されている編集画像を管理サーバ４から取得する。また、通信制御部６１１は、編集画像に対応する撮影画像（当該編集画像に編集処理が施される前の撮影画像）におけるユーザの顔の各部位（例えば、目、鼻および口など）の位置を示す位置情報を、編集画像と共に取得する。
【０１９７】
位置情報取得部６１５は、通信制御部６１１により管理サーバ４から取得された位置情報を取得する。なお、本実施形態では、管理サーバ４から位置情報を取得する構成を例に挙げて説明するが、これに限定されるものではない。例えば、位置情報取得部６１５は、管理サーバ４から編集画像に対応する撮影画像を取得し、取得した撮影画像から該撮影画像に含まれるユーザの顔から位置情報を算出してもよい。位置情報取得部６１５は、取得（又は、算出）した位置情報を顔抽出部６１４に供給する。
【０１９８】
顔抽出部６１４は、位置情報取得部６１５から供給される位置情報を参照して、通信制御部６１１により取得された編集画像からユーザの顔を抽出する。具体的には、顔抽出部６１４は、まず、位置情報から編集画像に対して編集処理が施される前の撮影画像におけるユーザの顔の各部位の位置を特定する。そして、顔抽出部６１４は、撮影画像における特定したユーザの顔の各部位の位置に基づいて編集画像に含まれるユーザの顔の位置を特定することにより、該編集画像からユーザの顔を抽出する。このように、撮影画像におけるユーザの顔の位置情報を参照することにより、顔抽出部６１４は、ユーザの顔の抽出が撮影画像よりも難しい編集画像（編集処理が施されているため）からユーザの顔を抽出する際にも、顔の抽出精度を高めることができる。
【０１９９】
このとき、顔抽出部６１４は、編集画像に含まれる（被写体となっている）人物が一人である場合には、当該一人の人物の顔を当該携帯端末６のユーザの顔として抽出すればよい。また、顔抽出部６１４は、編集画像に含まれる人物が複数存在する場合には、（１）複数の人物の顔を抽出すると共に当該携帯端末６のユーザから自身を選択するユーザ操作を入力部６０４を介して受け付けてもよいし、（２）予め登録されている当該携帯端末６のユーザの顔の示す特徴量（位置情報、顔の各部位の形状を示す形状情報、及び、顔の各部位の大きさを示す大きさ情報などの少なくとも何れかを含む）を用いて、編集画像に含まれる人物の顔から当該携帯端末６のユーザの顔を判別すると共に、判別した人物の顔を当該携帯端末６のユーザの顔として抽出してもよい。
【０２００】
また、本実施形態に係る入力制御部６１２は、複数のテンプレートから１つのテンプレートを選択するユーザ操作を入力部６０４を介して受け付ける選択受付手段としても機能する。このとき、通信制御部６１１は管理サーバ４から複数のテンプレートを一覧表示するためのウェブページを取得し、表示制御部６１３はこのウェブページを表示部６０５に表示すればよい。これにより、携帯端末６のユーザは、一覧表示された複数のテンプレートから所望のテンプレートを選択することができる。なお、テンプレートは、線画などによりデッサンのように又は漫画のように表現されていてもよいし、特に限定されるものではない。
【０２０１】
ここで、テンプレートとは、通信制御部６１１において取得された編集画像（本実施形態では、編集画像に含まれるユーザの顔）を合成するための背景画像（又は、背景画像および前景画像）を含む画像であり、動画像及び静止画像のテンプレートを含んでいる。動画像のテンプレートとしては、例えば、複数の画像がある程度の時間（例えば、約０．５秒など）を置いて順次表示される動画像（いわゆる、パラパラ漫画およびスライドショーなどを含む）のテンプレート、並びに、アニメーション（ＧＩＦアニメーション及びフラッシュアニメーションなど）などにより表現される動画像（ストーリー性のあるものを含む）のテンプレートなどを挙げることができる。
【０２０２】
また、静止画像のテンプレートとしては、例えば、有名な絵画、面白い画像、及び、ユーザがお気に入りのモデル会員（本実施形態では、会員属性として無料会員および有料会員（一般会員）と異なるモデル会員があり、画像提供サイトではモデル会員が撮影した画像を一般会員が閲覧できる）のポーズなどを静止画像として含むテンプレートなどを挙げることができる。
【０２０３】
合成部６１６は、顔抽出部６１４により抽出されたユーザの顔を、ユーザにより選択されたテンプレートに合成する合成処理を行う。具体的には、合成部６１６は、ユーザにより選択されたテンプレートにおける人物の顔の画像を挿入するための領域に、顔抽出部６１４により抽出されたユーザの顔を挿入することにより、合成処理を行う。
【０２０４】
また、本実施形態では、合成部６１６は、選択されたテンプレートに合わせて、抽出されたユーザの顔を加工することが好ましい。例えば、テンプレートが漫画のように表現されている場合には、合成部６１６は、抽出されたユーザの顔を線画などにより漫画のように加工する。
【０２０５】
上述の構成によれば、本実施形態に係る携帯端末６は、画像閲覧用アプリケーション（又は、一般的なウェブブラウザ）を用いて、写真シール作成装置１において生成された画像をテンプレートに合成して新たな画像を生成することができる。
【０２０６】
これによって、携帯端末６は、写真シール作成装置１において生成された画像を用いて、アニメーションの動画像、スライドショーのような動画像、及び、有名な絵画のような静止画像などの新たな画像を、ユーザに提供することができる。換言すれば、携帯端末６は、写真シール作成装置１において生成された画像の新たな楽しみ方をユーザに提供することができる。これにより、ユーザは、携帯端末６において生成された新たな画像を、例えばアルバムのように楽しむこともできる。
【０２０７】
（編集画像の自動取得）
さらに、本実施形態に係る通信制御部６１１は、管理サーバ４において当該携帯端末６のユーザに関連付けて管理されている複数の編集画像からユーザ操作により選択されたテンプレートに応じた編集画像を取得する画像取得手段としても機能することが好ましい。
【０２０８】
例えば、複数のストーリーのテンプレートの中から或るストーリーのテンプレートが選択された場合には、通信制御部６１１は、当該選択されたテンプレートのストーリーに予め関連付けられている所定の条件に従って、管理サーバ４から編集画像を取得する。ここで、所定の条件とは、例えば、ストーリーが楽しいストーリーである場合にはユーザが笑顔の画像であること、悲しいストーリーである場合にはユーザが泣き顔である画像であることなどが挙げられる。
【０２０９】
さらに、本実施形態に係る携帯端末６は、ユーザにより動画像のテンプレートが選択された場合には、該ユーザに関連付けられている複数の画像を用いて新たな画像を生成してもよい。この場合には、通信制御部６１１は、選択された動画像のテンプレートに応じた複数の編集画像を管理サーバ４から取得すればよい。このように、通信制御部６１１によりユーザに選択されたテンプレートに応じた複数の編集画像を取得することによって、携帯端末６は、ユーザに対して該ユーザが予想しないような画像の組み合わせで新たな画像を提供することができる。
【０２１０】
このとき、通信制御部６１１は、テンプレートのストーリーが複数の場面（例えば、楽しい場面および悲しい場面など）を含んでいる場合には、各場面に応じて複数の編集画面を取得してもよい。これによって、携帯端末６は、ストーリーの各場面に適したユーザの顔をテンプレートに合成することができるため、よりストーリーに沿った新たな画像を生成することができる。
【０２１１】
なお、入力制御部６１２は、入力部６０４を介して、複数のテンプレートを選択するユーザ操作を受け付けてもよい。この場合には、合成部６１６は、ユーザにより選択された複数のテンプレートを任意の順に結合して１つのストーリーのテンプレートとすればよい。このように、複数のテンプレートを結合して１つのテンプレートを生成することにより、バリエーションに富んだテンプレートを生成することができるため、ユーザは個性的な新たな画像を楽しむことができる。もちろん、入力制御部６１２は、ユーザに選択された複数のテンプレートの結合順を指定するユーザ操作をさらに受け付けてもよい。
【０２１２】
また、本実施形態では、携帯端末６のユーザの顔を画像から抽出してテンプレートに合成する構成を例に挙げて説明したが、例えば、該ユーザと一緒に写っている友達の顔をさらに抽出してテンプレートに合成する構成とすることもできる。これによって、ユーザは、自身の顔および友達の顔をテンプレートに合成して生成された新たな画像を友達と共有し、友達と一緒に該新たな画像を楽しむことができる。
【０２１３】
なお、本実施形態に係る各構成は、実施形態１に記載の各構成と組み合わせて用いることもできる。この場合には、本実施形態に係る携帯端末６の制御部６０１’は、実施形態１に係る制御部６０１により生成された新たな画像をテンプレートに合成することにより、新たな画像を更に生成することもできる。
【０２１４】
本発明の一態様に係る管理サーバは、上記の課題を解決するために、ユーザを撮影して画像を生成する１又は複数の写真シール作成装置において生成された複数の画像を上記ユーザに関連付けて管理する管理手段と、上記管理手段により上記ユーザに関連付けられている画像であって、写真シール作成装置において或る１回のゲーム中に生成された或る画像の一部を、上記或る１回のゲームとは異なる他の１回のゲーム中に生成された他の画像の一部に置き換えることによって新たな画像を生成する生成手段と、を備えている、ことを特徴としている。
【０２１５】
上記の構成によれば、上記生成手段は、１又は複数の写真シール作成装置の何れかにおいて生成された上記或る画像の一部を上記他の画像の一部に置き換えた新たな画像を生成する。なお、上記或る画像及び上記他の画像は、同じ写真シール作成装置において生成された画像であってもよいし、異なる写真シール作成装置において生成された画像であってもよい。
【０２１６】
これにより、上記管理サーバは、写真シール作成装置における異なるゲームにおいて生成された複数の画像から新たに生成された画像をユーザに提供することができる。従って、上記管理サーバは、写真シール作成装置において生成された画像の新たな楽しみ方をユーザに提供することができる。
【０２１７】
また、本発明の一態様に係る管理サーバは、画像に含まれるユーザの一部を、上記画像の一部として抽出する抽出手段を更に備え、上記抽出手段は、上記或る画像に含まれるユーザの一部、及び、上記他の画像に含まれるユーザの一部をそれぞれ抽出し、上記生成手段は、上記或る画像に含まれるユーザの一部を、上記他の画像に含まれるユーザの一部に置き換えることによって、上記新たな画像を生成する、ことが好ましい。
【０２１８】
上記の構成によれば、上記生成手段は、上記顔抽出手段により抽出された上記或る画像に含まれるユーザの一部（例えば、ユーザの顔又は服など）を、上記顔抽出手段により抽出された上記他の画像に含まれるユーザの一部に置き換えた新たな画像を生成する。これによって、上記管理サーバは、上記ユーザに対して、顔が上記他の画像に含まれるユーザの顔に置き換えられた上記或る画像を提供することができる。
【０２１９】
また、本発明の一態様に係る管理サーバは、上記管理手段により上記ユーザに関連づけられている上記複数の画像から、上記或る画像に含まれる所定の特徴と類似する特徴を有する他の画像を検出する検出手段を更に備えている、ことが好ましい。
【０２２０】
上記の構成によれば、上記生成手段は、上記或る画像、及び、当該或る画像に含まれる所定の特徴と似ている特徴を有する他の画像であって上記検出手段により検出された他の画像から、上記新たな画像を生成する。これによって、上記管理サーバは、上記或る画像に含まれる上記所定の特徴を壊すことなく上記新たな画像を生成することができる。従って、上記管理サーバは、上記或る画像の一部を当該或る画像と特徴の似ている上記他の画像の一部に置き換えた新たな画像をユーザに提供することができる。
【０２２１】
本発明の一態様に係る端末装置は、上記の課題を解決するために、ユーザを撮影して画像を生成する写真シール作成装置において生成された複数の画像のうち上記ユーザに関連付けて管理されている画像を取得する取得手段と、上記取得手段により取得された画像であって、上記写真シール作成装置において或る１回のゲーム中に生成された或る画像の一部を、上記或る１回のゲームとは異なる他の１回のゲーム中に生成された他の画像の一部に置き換えることによって新たな画像を生成する生成手段と、を備えている、ことを特徴としている。
【０２２２】
上記の構成によれば、上記端末装置は、上述した管理サーバと同様の効果を奏することができる。
【０２２３】
本発明の一態様に係る端末装置は、上記の課題を解決するために、ユーザを撮影して画像を生成する写真シール作成装置において撮影された撮影画像に含まれる上記ユーザの顔の各部位の位置を示す位置情報を取得する位置情報取得手段と、上記位置情報を参照して、上記撮影画像に対して編集処理の施された編集画像から上記ユーザの顔を抽出する顔抽出手段と、複数のテンプレートから少なくとも１つのテンプレートを選択するユーザ操作を受け付ける選択受付手段と、上記顔抽出手段により抽出された上記ユーザの顔を上記選択受付手段により受け付けられたユーザの選択操作によって選択されたテンプレートに合成する合成処理を行う合成手段と、を備えている、ことを特徴としている。
【０２２４】
上記の構成によれば、上記顔抽出手段は、上記位置情報を参照して上記ユーザの顔を抽出する。このため、上記顔抽出手段は、上記編集処理が施されているため上記撮影画像よりもユーザの顔の抽出が難しい上記編集画像からユーザの顔を抽出する際にも、顔の抽出精度を高めることができる。
【０２２５】
また、上記合成手段は、上記顔抽出手段により上記編集画像から抽出されたユーザの顔を上記ユーザに選択されたテンプレートに合成する上記合成処理を行う。これによって、上記合成手段は、上記合成処理の施された画像をユーザに提供することができる。従って、上記端末装置は、上記写真シール作成装置において生成された画像の新たな楽しみ方をユーザに提供することができる。
【０２２６】
また、本発明の一態様に係る端末装置において、上記選択受付手段は、複数のストーリーのテンプレートから１つのストーリーのテンプレートを選択するユーザ操作を受け付け、上記ユーザに関連付けられて管理されている複数の編集画像から、上記選択受付手段により受け付けられたユーザ操作により選択されたテンプレートのストーリーに応じた編集画像を取得する画像取得手段を更に備えている、ことが好ましい。
【０２２７】
上記の構成によれば、上記画像取得手段は、上記ユーザにより選択されたテンプレートのストーリーに応じた編集画像を取得する。これにより、上記合成手段は、上記ユーザから合成の対象となる編集画像を選択する選択操作を受け付けることなく、上記合成処理を行うことができる。
【０２２８】
本発明の一態様に係る写真シール作成装置は、上記の課題を解決するために、ユーザを撮影して撮影画像を生成する撮影画像生成手段と、上記ユーザを被写体として過去に生成された過去画像を取得する過去画像取得手段と、を備え、上記撮影画像生成手段は、上記ユーザを撮影して得られたユーザの画像を上記過去画像に重畳することにより上記撮影画像を生成する、ことを特徴としている。
【０２２９】
上記の構成によれば、上記撮影画像生成手段は、上記過去画像取得手段により取得された上記過去画像に、上記ユーザを撮影して得られた上記ユーザの画像を重畳することによって上記撮影画像を生成する。これにより、上記撮影画像生成手段は、上記ユーザと上記過去画像に含まれる過去のユーザとが共に含まれる撮影画像（例えば、上記ユーザが過去の自分と共に撮影を行ったかのような撮影画像など）を生成することができる。
【０２３０】
従って、上記ユーザは、過去の自分と共に現在の自分が写っている画像を楽しむことができる。また、上記写真シール作成装置は、上記過去画像の新たな楽しみ方をユーザに提供することもできる。
【０２３１】
本発明の一態様に係る管理サーバの画像生成方法は、上記の課題を解決するために、ユーザを撮影して画像を生成する写真シール作成装置において生成された画像を管理する管理サーバの画像生成方法であって、上記写真シール作成装置において上記ユーザを撮影して生成された複数の画像を上記ユーザに関連付けて管理する管理工程と、上記管理工程において上記ユーザに関連付けられている画像であって、上記写真シール作成装置において或る１回のゲーム中に生成された或る画像の一部を、上記或る１回のゲームとは異なる他の１回のゲーム中に生成された他の画像の一部に置き換えることによって新たな画像を生成する生成工程と、を含んでいる、ことを特徴としている。
【０２３２】
上記の構成によれば、上記管理サーバの画像生成方法は、上述した管理サーバと同様の効果を奏することができる。
【０２３３】
本発明の各態様に係る管理サーバ、端末装置、及び写真シール作成装置は、コンピュータによって実現してもよく、この場合には、コンピュータを上記管理サーバ、上記端末装置、又は上記写真シール作成装置が備える各手段として動作させることによって上記管理サーバ、上記端末装置、又は上記写真シール作成装置をコンピュータにて実現させる上記管理サーバ、上記端末装置、又は上記写真シール作成装置のプログラム、およびそれを記録したコンピュータ読み取り可能な記録媒体も、本発明の範疇に入る。
【０２３４】
〔ソフトウェアによる実現例〕
写真シール作成装置１、管理サーバ４、および携帯端末６の制御ブロック（特に制御部２０１、制御部４０１および制御部６０１、６０１’）は、集積回路（ＩＣチップ）等に形成された論理回路（ハードウェア）によって実現してもよいし、ＣＰＵ（Central Processing Unit）を用いてソフトウェアによって実現してもよい。
【０２３５】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３７】
本発明は、写真シール作成装置において作成されたユーザの撮影画像を管理サーバに保存する撮影画像管理システムとして、幅広く利用することができる。
【符号の説明】
【０２３８】
１  写真シール作成装置
４  管理サーバ
６  携帯端末（端末装置）
１１  撮影ユニット
１２  編集部
１３  事後接客部
２１  撮影部
９３  タッチパネルモニタ
２０１  制御部
２２４  スピーカ
３１１  通信制御部（過去画像取得手段）
３１２  撮影制御部（撮影画像生成手段）
３１３  編集制御部
３１４  印刷制御部
３１５  事後接客制御部
４０１  制御部
４０２  記憶部
４０３  通信部
４１１  通信制御部
４１２  メール作成部
４１３  ウェブページ作成部
４１４  画像管理部（管理手段）
４１５  情報管理部（アカウント管理手段）
４４１  検出部（検出手段）
４４２  抽出部（抽出手段）
４４３  生成部（生成手段）
６０１  制御部（生成手段）
６０１’  制御部
６０２  記憶部
６０３  通信部
６０４  入力部
６０５  表示部
６１１  通信制御部（取得手段）
６１２  入力制御部（選択受付手段）
６１３  表示制御部
６１４  顔抽出部（顔抽出手段）
６１５  位置情報取得部（位置情報取得手段）
６１６  合成部（合成手段）
【図１】
2018160898.tif 000003
【図２】
2018160898.tif 000004
【図３】
2018160898.tif 000005
【図４】
2018160898.tif 000006
【図５】
2018160898.tif 000007
【図６】
2018160898.tif 000008
【図７】
2018160898.tif 000009
【図８】
2018160898.tif 000010
【図９】
2018160898.tif 000011
【図１０】
2018160898.tif 000012
【図１１】
2018160898.tif 000013
【図１２】
2018160898.tif 000014
【図１３】
2018160898.tif 000015
【図１４】
2018160898.tif 000016
【図１５】
2018160898.tif 000017
【図１６】
2018160898.tif 000018
【図１７】
2018160898.tif 000019
【図１８】
2018160898.tif 000020
【図１９】
2018160898.tif 000021
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
１又は複数の写真シール作成装置において生成された複数の画像を管理する管理サーバであって、
複数の上記画像の中から或るユーザに関連付けられている或る画像と、当該或るユーザに関連付けられている他の画像とを検出する検出部と、
上記或る画像と上記他の画像から当該他の画像の一部を抽出した抽出画像とを用いて新たな画像を生成する生成部と、を備えている、
ことを特徴とする管理サーバ。
【請求項２】
上記検出部は、上記或る画像に含まれる所定の特徴と類似する特徴を有する画像を上記他の画像として検出する、
ことを特徴とする請求項１に記載の管理サーバ。
【請求項３】
上記或る画像に含まれる所定の特徴と類似する特徴を有する上記画像を複数提示するためのページを生成するページ作成部を備え、
上記検出部は、上記ページから選択された上記画像を上記他の画像として検出する、
ことを特徴とする請求項２に記載の管理サーバ。
【請求項４】
上記生成部は、上記或る画像と、当該或る画像の明度と合うように明度を調整した上記抽出画像とを用いて上記新たな画像を生成する、
ことを特徴とする請求項１から３の何れか１項に記載の管理サーバ。
【請求項５】
上記１又は複数の写真シール作成装置にて過去から現在までの複数の異なる時点で生成された上記画像のそれぞれから被写体の顔の部分を抽出して複数の上記抽出画像を生成する抽出部を備え、
上記生成部は、複数の上記抽出画像を用いて、上記或る画像に写る被写体の顔が段階的に変化する画像を、上記新たな画像として生成する、
ことを特徴とする請求項１から４の何れか１項に記載の管理サーバ。
【請求項６】
上記１又は複数の写真シール作成装置にて過去から現在までの複数の異なる時点で或る被写体を撮影して生成された上記画像のそれぞれから当該或る被写体の顔の部分を抽出して複数の上記抽出画像を生成する抽出部を備え、
上記生成部は、複数の上記抽出画像を用いて、上記被写体の顔が時系列順に表示される画像を、上記新たな画像として生成する、
ことを特徴とする請求項１から４の何れか１項に記載の管理サーバ。